(57)【要約】【課題】防犯機能を備えた撮影装置を提供する。【解決手段】電源／モードスイッチ２４でカメラのモードを「防犯モード」に設定すると、人検知センサ１９で人の検知が作動する。人検知センサ１９で人が検地されると、ストロボ１８が発光し、侵入者を威嚇する。【選択図】      図４
2006237733.tif 000002
【特許請求の範囲】
【請求項１】
携帯して使用される撮影装置において、
防犯モードに設定するモード設定手段と、
動体を検知する動体検知手段と、
前記防犯モードに設定された状態で前記動体検知手段が動体を検知すると、撮影装置が所定の動作を行うように制御する制御手段と、
を備えたことを特徴とする撮影装置。
【請求項２】
前記動体検知手段が前記動体として人を検知することを特徴とする請求項１に記載の撮影装置。
【請求項３】
前記動体検知手段が焦電センサであることを特徴とする請求項１に記載の撮影装置。
【請求項４】
前記制御手段は、前記防犯モードに設定された状態で前記動体検知手段が動体を検知すると、撮影が行われるように制御することを特徴とする請求項１、２又は３に記載の撮影装置。
【請求項５】
可動部を備え、前記制御手段は、前記防犯モードに設定された状態で前記動体検知手段が動体を検知すると、前記可動部が動作するように制御することを特徴とする請求項１、２又は３に記載の撮影装置。
【請求項６】
発光手段を備え、前記制御手段は、前記防犯モードに設定された状態で前記動体検知手段が動体を検知すると、前記発光手段が発光されるように制御することを特徴とする請求項１、２又は３に記載の撮影装置。
【請求項７】
スピーカを備え、前記撮影装置は、前記防犯モードに設定された状態で前記動体検知手段が動体を検知すると、前記スピーカから所定の警告音が発生するように制御することを特徴とする請求項１、２又は３に記載の撮影装置。
【請求項８】
前記制御手段は、前記防犯モードに設定された状態で前記動体検知手段が動体を検知すると、さらに撮影が行われるように制御することを特徴とする請求項５、６又は７に記載の撮影装置。
【請求項９】
撮影装置を装着して撮影装置に給電するクレードルを備え、前記モード設定手段は、撮影装置がクレードルに装着されると、前記防犯モードに自動で設定することを特徴とする請求項１、２、３、４、５、６、７又は８に記載の撮影装置。  
【請求項１０】
撮影装置の各部に供給する電力を制御する電源制御手段を備え、該電源制御手段は、前記防犯モードに設定されると、動体の検知に関連する最小の構成にのみ電力が供給されるように制御することを特徴とする請求項１、２、３、４、５、６、７、８又は９に記載の撮影装置。
【発明の詳細な説明】
【技術分野】
【０００１】
本発明は撮影装置に係り、特にコンパクトカメラのように携帯して使用される撮影装置に関する。
【背景技術】
【０００２】
近年の犯罪件数の増加に伴い、自宅やオフィスなどに防犯システムを導入する例が増えている。このような自宅やオフィスなどに設置される防犯システムとしては、入口などに監視カメラを設置して不審者の侵入を監視するシステムや、夜間に人の接近を検知して自動でライトを発光させるシステムなどが知られている（たとえば、特許文献１〜４）。
【特許文献１】特開平６−６２１３４号公報
【特許文献２】特開２００３−３３３３８７号公報
【特許文献３】特開２００４−３４８４０７号公報
【特許文献４】特開２００５−４６３３号公報
【発明の開示】
【発明が解決しようとする課題】
【０００３】
しかしながら、従来の防犯システムは、監視カメラを設置したり、ライトを設置したりしなければならないため、システムが大掛かりになってしまうという欠点があった。また、監視カメラ等は固定して設置されてしまうため、監視したい場所を自由に変えることができないという欠点もあった。
【０００４】
本発明はこのような事情に鑑みてなされたもので、防犯機能を備えた撮影装置を提供することを目的とする。
【課題を解決するための手段】
【０００５】
本発明は前記目的を達成するために、携帯して使用される撮影装置において、防犯モードに設定するモード設定手段と、動体を検知する動体検知手段と、前記防犯モードに設定された状態で前記動体検知手段が動体を検知すると、撮影装置が所定の動作を行うように制御する制御手段と、を備えたことを特徴とする。
【０００６】
本発明によれば、モード設定手段で防犯モードに設定されると、動体検知手段で動体の検知が行われる。そして、この動体検知手段で動体が検知されると、撮影装置が所定の動作を行う。
【０００７】
また、本発明は前記目的を達成するために、前記動体検知手段が前記動体として人を検知することを特徴とする。
【０００８】
本発明によれば、動体として人が検知される。
【０００９】
また、本発明は前記目的を達成するために、前記動体検知手段が焦電センサであることを特徴とする。
【００１０】
本発明によれば、動体検知手段が焦電センサで構成される。
【００１１】
また、本発明は前記目的を達成するために、前記制御手段は、前記防犯モードに設定された状態で前記動体検知手段が動体を検知すると、撮影が行われるように制御することを特徴とする。
【００１２】
本発明によれば、モード設定手段で防犯モードに設定されると、動体検知手段で人等の動体の検知が行われる。そして、この動体検知手段で動体が検知されると、撮影が行われる。
【００１３】
また、本発明は前記目的を達成するために、可動部を備え、前記制御手段は、前記防犯モードに設定された状態で前記動体検知手段が動体を検知すると、前記可動部が動作するように制御することを特徴とする。
【００１４】
本発明によれば、モード設定手段で防犯モードに設定されると、動体検知手段で人等の動体の検知が行われる。そして、この動体検知手段で動体が検知されると、レンズ等の可動部が動作する。
【００１５】
また、本発明は前記目的を達成するために、発光手段を備え、前記制御手段は、前記防犯モードに設定された状態で前記動体検知手段が動体を検知すると、前記発光手段が発光されるように制御することを特徴とする。
【００１６】
本発明によれば、モード設定手段で防犯モードに設定されると、動体検知手段で人等の動体の検知が行われる。そして、この動体検知手段で動体が検知されると、ストロボ、セルフタイマーランプ、補助光等の発光手段が発光する。
【００１７】
また、本発明は前記目的を達成するために、スピーカを備え、前記撮影装置は、前記防犯モードに設定された状態で前記動体検知手段が動体を検知すると、前記スピーカから所定の警告音が発生するように制御することを特徴とする。
【００１８】
本発明によれば、モード設定手段で防犯モードに設定されると、動体検知手段で人等の動体の検知が行われる。そして、この動体検知手段で動体が検知されると、スピーカから所定の警告音が鳴らされる。
【００１９】
また、本発明は前記目的を達成するために、前記制御手段は、前記防犯モードに設定された状態で前記動体検知手段が動体を検知すると、さらに撮影が行われるように制御することを特徴とする。
【００２０】
本発明によれば、動体検知手段で動体が検知されると、可動部の動作、発光手段の発光、又はスピーカからの警告音の発生に加えて、撮影が行われる。
【００２１】
また、本発明は前記目的を達成するために、撮影装置を装着して撮影装置に給電するクレードルを備え、前記モード設定手段は、撮影装置がクレードルに装着されると、前記防犯モードに自動で設定することを特徴とする。
【００２２】
本発明によれば、撮影装置を給電するためのクレードルに撮影装置を装着すると、自動的に防犯モードに設定される。
【００２３】
また、本発明は前記目的を達成するために、撮影装置の各部に供給する電力を制御する電源制御手段を備え、該電源制御手段は、前記防犯モードに設定されると、動体の検知に関連する最小の構成にのみ電力が供給されるように制御することを特徴とする。
【００２４】
本発明によれば、防犯モードに設定されると、動体の検知に関する最小の構成にのみ電力が供給されるように制御される。
【発明の効果】
【００２５】
本発明に係る撮影装置によれば、撮影装置に既存の機能を有効に利用して、撮影装置を防犯装置として動作させることができる。
【発明を実施するための最良の形態】
【００２６】
以下、添付図面に従って本発明に係る撮影装置を実施するための最良の形態について詳説する。
【００２７】
図１、図２は、それぞれ本発明が適用されたデジタルカメラの外観構成を示す正面斜視図と背面斜視図である。同図に示すように、本実施の形態のデジタルカメラ１０は、携帯可能なコンパクトタイプのデジタルカメラであり、そのカメラ本体１２は、横方向に細長く形成された矩形の箱状に形成されている。
【００２８】
カメラ本体１２の正面には、図１に示すように、撮影レンズ１４、ファインダ窓１６、セルフタイマーランプ１７、ストロボ１８、人検知センサ１９、マイク２０等が設けられており、上面には、シャッタボタン２２、電源／モードスイッチ２４、モードダイヤル２６等が設けられている。
【００２９】
また、カメラ本体１２の背面には、図２に示すように、ファインダ接眼部２８、ファインダランプ２９、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、片側の側面には、ＵＳＢ端子４４、電源端子４６、ＡＶ出力端子４８が設けられている。
【００３０】
また、図示しないカメラ本体１２の底面には、開閉自在なカバーが設けられており、このカバーの内側にバッテリーを収納するためのバッテリー収納室と、メモリカードを装填するためのメモリカードスロットとが設けられている。
【００３１】
撮影レンズ１４は、沈胴式のズームレンズで構成されており、カメラの電源を投入すると、カメラ本体１２から繰り出される（撮影モード時）。
【００３２】
セルフタイマーランプ１７は、ＬＥＤランプで構成されており、セルフタイマー撮影時、所定のタイミングで発光、点滅して、被写体に撮影のタイミングを告知する（たとえば、約５秒間点灯したのち点滅に変わり、さらに約５秒後に撮影が行われる）。
【００３３】
シャッタボタン２２は、いわゆる「半押し」と「全押し」とからなる２段ストローク式のスイッチで構成されている。デジタルカメラ１０は、このシャッタボタン２２を半押しすることにより、ＡＥ（Automatic Exposure）、ＡＦ（Auto Focus）、ＡＷＢ（Automatic White Balance ）が機能し、全押しすることにより、撮影処理が行われる。
【００３４】
電源／モードスイッチ２４は、デジタルカメラ１０の電源をＯＮ／ＯＦＦする電源スイッチとして機能するとともに、デジタルカメラ１０のモードを設定するモードスイッチとして機能し、「防犯位置」、「ＯＦＦ位置」、「再生位置」、「撮影位置」の間をスライド自在に設けられている。デジタルカメラ１０は、この電源／モードスイッチ２４を「再生位置」、「撮影位置」又は「防犯位置」に合わせることにより、電源がＯＮになり、「ＯＦＦ位置」に合わせることにより、電源がＯＦＦになる。また、電源／モードスイッチ２４を「再生位置」に合わせることにより「再生モード」に設定され、「撮影位置」に合わせることにより「撮影モード」に設定され、「防犯位置」に合わせることにより「防犯モード」に設定される。そして、デジタルカメラ１０は「撮影モード」に設定されると、画像の記録が可能になり、「再生モード」に設定されると、記録済み画像の再生が可能になる。そして、「防犯モード」に設定されると、防犯装置として機能する。
【００３５】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタスピード優先撮影モード」、「マニュアル撮影モード」に設定される。
【００３６】
ファインダランプ２９は、ＬＥＤで構成されており、カメラの動作状況に応じて発光、点滅される。たとえば、撮影時に撮影準備が完了すると点灯し、規定のシャッタスピード以下で撮影しようとすると点滅する。
【００３７】
液晶モニタ３０は、カラー表示が可能な液晶ディスプレイで構成されている。この液晶モニタ３０は、撮影した画像の表示画面として利用されるとともに、各種設定時にユーザインターフェースとして利用される。また、撮影時に必要に応じてスルー画像が表示され、画角確認用の電子ファインダとして利用される。
【００３８】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３９】
十字ボタン３４は、上下左右４方向に押圧操作することができるようにされており、各方向の指示を入力するボタンとして機能する。
【００４０】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００４１】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００４２】
図３は、デジタルカメラ１０の電気的構成を示すブロック図である。同図に示すように、デジタルカメラ１０は、ＣＰＵ１１０、操作部（シャッタボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、人検知センサ１９、撮影光学系１２６、フォーカスモータドライバ１２８、ズームモータドライバ１３０、アイリスモータドライバ１３２、撮像素子１３４、タイミングジェネレータ（ＴＧ）１３６、アナログ信号処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、エンコーダ１５２、ＡＥ／ＡＷＢ検出回路１５４、ＡＦ検出回路１５６、ストロボ制御回路１５８、音声入力処理回路１６０、音声出力処理回路１６２、電源制御回路１６４等で構成されている。
【００４３】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００４４】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００４５】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００４６】
人検知センサ１９は、たとえば焦電センサ（赤外線人検知センサ）で構成され、人体から発生する赤外線を検知して、人の存在を検知する。この種の焦電センサは、一般に焦電素子と、この焦電素子に赤外線を集光させる凹面鏡と、焦電素子から出力された電気信号を処理する信号処理回路とで構成されており、人体から発した赤外線を凹面鏡で受光して焦電素子に集光させる。そして、その焦電素子からの電気信号の出力を検出して、人の存在を検知する。なお、この人検知センサ１９には、検知エリアが約１８０度の広いものが用いられる。この人検知センサ１９による人の検出結果は、ＣＰＵ１１０に出力される。
【００４７】
撮影光学系１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００４８】
撮像素子１３４は、所定のカラーフィルタ配列（たとえば、ベイヤ配列）のカラーＣＣＤで構成されている。撮影光学系１２６を介して撮像素子１３４の受光面に入射した光は、その受光面に規則的に配列された各フォトダイオードによって入射光量に応じた量の信号電荷に変換される。
【００４９】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００５０】
アナログ信号処理回路１３８は、撮像素子１３４から順次出力される画像信号を相関二重サンプリング処理するとともに増幅する。Ａ／Ｄ変換器１４０は、このアナログ信号処理回路１３８から出力されたＲ、Ｇ、Ｂのアナログの画像信号をデジタルの画像信号に変換する。
【００５１】
画像入力コントローラ１４２は、所定容量のバッファメモリを内蔵しており、Ａ／Ｄ変換器１４０から出力された１コマ分の画像信号を蓄積して、メモリ１２０に格納する。
【００５２】
画像信号処理回路１４４は、同時化回路、ガンマ補正回路、輪郭補正回路、輝度・色差信号生成回路等を含み、ＣＰＵ１１０からの指令に従ってメモリ１２０に格納された画像信号を処理し、輝度信号と色差信号とからなるＹＵＶ信号を生成する。
【００５３】
液晶モニタ３０にスルー画像を表示させる場合は、撮像素子１３４で連続的に画像を撮像し、得られた画像信号を連続的に処理してＹＵＶ信号を生成する。生成されたＹＵＶ信号は、ＶＲＡＭ１２２を介してエンコーダ１５２に加えられ、液晶表示用の信号形式に変換されて液晶モニタ３０に出力される。これにより、液晶モニタ３０にスルー画像が表示される。
【００５４】
画像を記録する場合は、撮影指令に応じて撮像素子１３４で画像を撮像し、得られた画像信号を処理してＹＵＶ信号を生成する。生成されたＹＵＶ信号は、圧縮・伸張処理回路１４６に加えられ、所定の圧縮画像データとされたのち、メディアコントローラ１４８を介して記憶メディア（メモリカード）１５０に格納される。
【００５５】
記憶メディア１５０に格納された圧縮画像データは、再生指令に応じてメディアコントローラ１４８を介して読み出され、圧縮・伸張処理回路１４６で非圧縮のＹＵＶ信号とされた後、エンコーダ１５２を介して液晶モニタ３０に出力される。これにより、記憶メディア１５０に記録された画像が液晶モニタ３０に再生表示される。
【００５６】
ＡＥ／ＡＷＢ検出回路１５４は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ１１０は、このＡＥ／ＡＷＢ検出回路１５４から得た積算値に基づいて被写体の明るさ（被写体輝度）を検出し、所定のプログラム線図から絞り値とシャッタスピードを決定する。
【００５７】
また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５８】
ＡＦ検出回路１５６は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１５６は、入力された画像信号から画像の鮮鋭度を示す焦点評価値を算出する。ＣＰＵ１１０は、このＡＦ検出回路１５６で算出される焦点評価値が極大となるように、フォーカスモータドライバ１２８を介してフォーカスモータを駆動し、フォーカスレンズ１４Ｆの移動を制御する。
【００５９】
ストロボ制御回路１５８は、ＣＰＵ１１０からの指令に従ってストロボ１８の発光を制御する。
【００６０】
音声入力処理回路１６０は、ＣＰＵ１１０からの指令に従ってマイク２０を介して入力された音声信号を処理し、音声出力処理回路１６２は、ＣＰＵ１１０からの指令に従ってスピーカ４２から出力するための音声信号を処理する。
【００６１】
電源制御回路１６４は、ＣＰＵ１１０からの指令に従ってバッテリ１６６からデジタルカメラ１０の各部に供給する電力を制御する。
【００６２】
次に、前記のごとく構成された本実施の形態のデジタルカメラ１０の作用について説明する。
【００６３】
上記のように、デジタルカメラ１０は、「撮影モード」に設定されると、画像の記録が可能になり、「再生モード」に設定されると、記録済み画像の再生が可能になる。そして、「防犯モード」に設定されると、防犯装置として機能する。
【００６４】
はじめに、「撮影モード」に設定された時のデジタルカメラ１０の処理動作について説明する。撮影モードに設定されると、デジタルカメラ１０は、シャッタボタン２２の半押しでＡＥ、ＡＦ、ＡＷＢ処理を実行し、全押しで画像の記録処理を実行する。
【００６５】
まず、シャッタボタン２２が半押しされると、撮像素子１３４から出力された画像信号が、アナログ信号処理回路１３８、Ａ／Ｄ変換器１４０、画像入力コントローラ１４２を介してメモリ１２０に取り込まれ、メモリ１２０からＡＥ／ＡＷＢ検出回路１５４及びＡＦ検出回路１５６に加えられる。
【００６６】
ＡＥ／ＡＷＢ検出回路１５４は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５４からの出力に基づき露出値（絞り値とシャッタスピード）を決定するとともに、ホワイトバランス補正値を決定する。
【００６７】
また、ＡＦ検出回路１５６は、入力された画像信号からＡＦ制御に必要な物理量を算出し、ＣＰＵ１１０に出力する。ＣＰＵ１１０は、このＡＦ検出回路１５６からの出力に基づいてフォーカスモータの駆動を制御し、撮影レンズ１４のピントを主要被写体に合わせる。
【００６８】
この後、シャッタボタン２２が全押しされると、ＣＰＵ１１０は、画像の記録処理を実行する。
【００６９】
まず、上記のＡＥ処理で求めた露出値で撮像素子１３４を露光し、記録用の画像信号の取り込みを行う。
【００７０】
撮像素子１３４から出力された画像信号は、アナログ信号処理回路１３８、Ａ／Ｄ変換器１４０、画像入力コントローラ１４２を介してメモリ１２０に取り込まれ、メモリ１２０から画像信号処理回路１４４に加えられる。画像信号処理回路１４４は、入力された画像信号に対して所要の信号処理を施して画像データ（ＹＵＶデータ）を生成する。生成された画像データは、一旦メモリ１２０に格納されたのち、圧縮・伸張処理回路１４６に加えられ、所定の圧縮フォーマットで圧縮されて、再度、メモリ１２０に格納される。
【００７１】
ＣＰＵ１１０は、このメモリ１２０に格納された圧縮画像データに対して撮影日時や絞り値、シャッタスピードなどの付属情報を付加した所定フォーマット（たとえばＥｘｉｆ）の画像ファイルを生成し、メディアコントローラ１４８を介して記憶メディアに記録する。
【００７２】
なお、モードダイヤル２６が、「動画撮影モード」に設定されている場合には、動画像が撮影され、シャッタボタン２２を全押ししている間撮影された動画像が、マイク２０から取り込まれた音声とともに、所定形式の動画像ファイルとして記憶メディア１５０に記録される。
【００７３】
次に、「再生モード」に設定されたときのデジタルカメラ１０の処理動作について説明する。
【００７４】
電源／モードスイッチ２４を「再生位置」に合わせて、カメラのモードを再生モードに設定すると、ＣＰＵ１１０は、メディアコントローラ１４８にコマンドを出力し、記憶メディア１５０に最後に記録された画像ファイルの圧縮画像データを読み出させる。
【００７５】
読み出された圧縮画像データは、圧縮・伸張処理回路１４６に加えられ、非圧縮の画像データにされたのち、エンコーダ１５２を介して液晶モニタ３０に出力される。これにより、記憶メディア１５０に記録されている画像が、液晶モニタ３０に再生表示される。
【００７６】
画像のコマ送りは、十字ボタン３４の左右のキー操作で行なわれ、右キーが操作されると、次のコマ番号の圧縮画像データが、記憶メディア１５０から読み出され、所要の伸張処理が施された後、液晶モニタ３０に再生表示される。また、十字ボタン３４の左キーが操作されると、一つ前のコマの圧縮画像データが記憶メディア１５０から読み出され、所要の伸張処理が施された後、液晶モニタ３０に再生表示される。
【００７７】
なお、再生対象とする画像ファイルが、動画像の画像ファイルの場合には、液晶モニタ３０に動画像が再生表示されるとともに、スピーカ４２から音声が再生される。
【００７８】
次に、「防犯モード」に設定された時のデジタルカメラ１０の処理動作について説明する。上記のように、デジタルカメラ１０は、電源／モードスイッチ２４を「防犯位置」に合わせて、カメラのモードを「防犯モード」に設定すると、防犯装置として機能する。この防犯モードでは、人検知センサ１９で人を検知すると、ストロボ１８が発光し、侵入者を威嚇する。
【００７９】
図４は、防犯モード時におけるデジタルカメラ１０の処理動作の手順を示すフローチャートである。
【００８０】
ＣＰＵ１１０は、操作部１１２からの入力に基づいてカメラのモードが「防犯モード」に設定されたか否か判定する（ステップＳ１０）。そして、「防犯モード」に設定されたと判定すると、人検知センサ１９を作動させ（ステップＳ１１）、人検知センサ１９による人の検知を開始する。
【００８１】
ＣＰＵ１１０は、この人検知センサ１９からの出力に基づいて人が検知されたか否か判定する（ステップＳ１２）。そして、人が検知されたと判定すると、ストロボ制御回路１５８にコマンドを出力し、ストロボ１８を発光させる（ステップＳ１３）。
【００８２】
この後、ＣＰＵ１１０は、操作部１１２からの入力に基づいて防犯モードが解除されたか否か判定し（ステップＳ１４）、防犯モードが解除されたと判定すると、処理を終了する。また、防犯モードが解除されていないと判定すると、ステップＳ１２の処理に戻り、再度、人検知センサ１９によって人が検知されたか否か判定する。
【００８３】
このように、「防犯モード」に設定されると、人検知センサ１９によって人の検知が行われ、人が検知されると、ストロボ１８が発光される。これにより、予期せぬ侵入者を威嚇でき、犯罪の被害から効果的に身を守ることができる。
【００８４】
また、本実施の形態のデジタルカメラ１０は、デジタルカメラに既存のストロボ１８を用いて侵入者を威嚇するようにしているため、別途部品追加を行うことなく構成することができる。
【００８５】
さらに、本実施の形態のデジタルカメラ１０は、携帯可能に形成されているため、任意の場所に設置することができ、防犯設備が完備されていない場所でも効果的に身を守ることができる。
【００８６】
なお、本実施の形態では、人を検知した場合、ストロボ１８を発光させて侵入者を威嚇するようにしているが、侵入者を威嚇する方法は、これに限定されるものではない。ただし、別途部品を追加することがないように、デジタルカメラ１０に既存の機能を流用して威嚇するようにすることが好ましい。
【００８７】
たとえば、本実施の形態のデジタルカメラ１０には、スピーカ４２が備えられているので、人検知センサ１９が人を検知した場合は、このスピーカ４２から所定の警告音を鳴らして、侵入者を威嚇するようにしてもよい。この場合、ストロボ１８の発光と共にスピーカ４２から警告音を鳴らすようにしてもよい。
【００８８】
また、セルフタイマーランプ１７及び／又はファインダランプ２９を点灯又は点滅させて、侵入者を威嚇するようにしてもよい。この場合も上記同様にストロボ１８の発光及び／又はスピーカ４２からの警告音の発生と共にセルフタイマーランプ１７、ファインダランプ２９を点灯又は点滅させるようにしてもよい。
【００８９】
さらに、デジタルカメラ１０の可動部を動作させて侵入者を威嚇するようにしてもよい。たとえば、撮影レンズが繰り出し動作するタイプのデジタルカメラの場合には、撮影レンズを繰り出したり、レンズバリアを備えたデジタルカメラの場合には、レンズバリアを開閉させて、侵入者を威嚇するようにしてもよい。
【００９０】
なお、防犯モードに設定されると、セルフタイマーランプ１７及び／又はファインダランプ２９を点灯又は点滅させ、防犯モードに設定されていることをユーザに視覚的に認識させるようにしてもよい。
【００９１】
また、いわゆるクードルにカメラ本体を装着して、内蔵するバッテリの充電を行うタイプのデジタルカメラの場合には、クレードルに装着すると、自動的に防犯モードに設定されるようにしてもよい。
【００９２】
また、防犯モードにおいては、人の検知に関する最小の構成にのみ電力が供給されるように制御することが好ましい。すなわち、ＣＰＵ１１０は、防犯モードに設定されたことを検知すると、電源制御回路１６４にコマンドを出力し、人の検知に関する最小の構成にのみ電力が供給されるように制御する。これにより、省電力化を図ることができ、長時間の監視を行うことができるようになる。
【００９３】
また、本実施の形態では、人検知センサ１９で人を検知した場合、ストロボ１８で侵入者を威嚇するようにしているが、威嚇するのではなく、撮影を実行するようにしてもよい。すなわち、人検知センサ１９で人を検知すると、ＣＰＵ１１０は、自動でＡＥ、ＡＦ、ＡＷＢの処理を実行し、自動で画像の撮影、記録処理を実行するように構成する。これにより、侵入者を記録でき、後日、犯人究明に役立てることができる。
【００９４】
なお、この撮影、記録処理は、ストロボ１８の発光やスピーカ４２からの警告音の発生と同時に行うようにしてもよい。また、静止画の撮影ではなく、動画像の撮影を行うようにしてもよい。
【００９５】
また、本実施の形態では、人検知センサ１９として、赤外線人検知センサを用いた場合を例に説明したが、人検知センサの種類は、これに限定されるものではない。たとえば、熱を感知して、人の検知を行うセンサを用いるようにしてもよい。この場合、一定温度以上の熱を検知した場合は、火災発生と判断して、スピーカ４２から警告音を鳴らすようにすれば、火災警報装置としても機能させることができる。また、この防犯モード以外の時に一定温度以上の熱を感知した場合は、装置異常と判断して、スピーカ４２から警告音を鳴らすようにすれば、装置異常の検出も行うことができるようになる。
【００９６】
また、本実施の形態では、人検知センサを例示したが、当業者に周知の動体センサを用いることにより、人（動物）に限らず動体全般を検出対象にすることもできる。
【００９７】
また、本実施の形態では、人検知センサ１９をカメラ本体１２の正面に設置しているが、人検知センサ１９の設置箇所及び設置数は、これに限定されるものではない。たとえば、カメラ本体１２の正面と背面の両方に設置するようにしてもよいし、また、正面、背面、上面、両側面の各面に設置するようにしてもよい。
【００９８】
また、上記実施の形態では、本発明をデジタルカメラに適用した場合を例に説明したが、本発明の適用は、これに限定されるものではない。たとえば、銀塩カメラやビデオカメラ、カメラ付き携帯電話機等にも同様に適用することができる。
【図面の簡単な説明】
【００９９】
【図１】本発明が適用されたデジタルカメラの正面斜視図
【図２】本発明が適用されたデジタルカメラの背面斜視図
【図３】デジタルカメラの電気系の構成を示すブロック図
【図４】防犯モード時におけるデジタルカメラの処理動作の手順を示すフローチャート
【符号の説明】
【０１００】
１０…デジタルカメラ、１２…カメラ本体、１４…撮影レンズ、１４Ｆ…フォーカスレンズ、１４Ｚ…ズームレンズ、１６…ファインダ窓、１７…セルフタイマーランプ、１８…ストロボ、１９…人検知センサ、２０…マイク、２２…シャッタボタン、２４…電源／モードスイッチ、２６…モードダイヤル、２８…ファインダ接眼部、２９…ファインダランプ、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２６…撮影光学系、１２８…フォーカスモータドライバ、１３０…ズームモータドライバ、１３２…アイリスモータドライバ、１３４…撮像素子、１３６…タイミングジェネレータ（ＴＧ）、１３８…アナログ信号処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…エンコーダ、１５４…ＡＥ／ＡＷＢ検出回路、１５６…ＡＦ検出回路、１５８…ストロボ制御回路、１６０…音声入力処理回路、１６２…音声出力処理回路、１６４…電源制御回路、１６６…バッテリ
【図１】
2006237733.tif 000003
【図２】
2006237733.tif 000004
【図３】
2006237733.tif 000005
【図４】
2006237733.tif 000006